(57)【要約】【課題】  レンズの組立（位置調整）を簡易かつ高精度に行うことができ、また落下などによる外部からの衝撃を受けても、レンズに対する損傷を確実に防止できるレンズ保持構造体、レンズ位置調整方法およびこのようなレンズ保持構造体を用いたカメラモジュールを提供する。【解決手段】  レンズ保持構造体１０は、レンズ１と、レンズ１を固定して保持するレンズ保持具２と、レンズ保持具２を係合する枠状の保持枠３とを備えている。レンズ保持具２は、例えばゴムのような弾性部材を型加工することによって形成してある。レンズ保持具２はレンズ１を囲むように例えば輪状に形成してあり、内周はレンズ１を固定して保持する形状とされ、外周は保持枠３に係合される形状としてある。【選択図】  図１
2007041141.tif 000002
【特許請求の範囲】
【請求項１】
レンズと、該レンズを固定して保持するレンズ保持具と、該レンズ保持具を係合する保持枠とを備えるレンズ保持構造体であって、
前記レンズ保持具は、弾性部材で形成してあることを特徴とするレンズ保持構造体。
【請求項２】
前記保持枠は複数の溝部を有し、前記レンズ保持具は前記溝部に係合する突起部を有することを特徴とする請求項１に記載のレンズ保持構造体。
【請求項３】
前記突起部は、前記溝部の外部に突出して形成してあることを特徴とする請求項２に記載のレンズ保持構造体。
【請求項４】
前記溝部および前記突起部はそれぞれ３個以上あることを特徴とする請求項２または請求項３に記載のレンズ保持構造体。
【請求項５】
前記レンズ保持具は前記レンズを複数備えることを特徴とする請求項１ないし請求項４のいずれか一つに記載のレンズ保持構造体。
【請求項６】
前記複数のレンズそれぞれに対応させて前記突起部を有することを特徴とする請求項５に記載のレンズ保持構造体。
【請求項７】
前記突起部の位置を前記レンズそれぞれに対応させて異ならせたことを特徴とする請求項６に記載のレンズ保持構造体。
【請求項８】
前記レンズの間にスペーサを備えることを特徴とする請求項５ないし請求項７のいずれか一つに記載のレンズ保持構造体。
【請求項９】
前記レンズの外径を前記レンズ保持具の内径より大きくしてあることを特徴とする請求項１ないし請求項８のいずれか一つに記載のレンズ保持構造体。
【請求項１０】
前記レンズ保持具を複数備えることを特徴とする請求項１ないし請求項９のいずれか一つに記載のレンズ保持構造体。
【請求項１１】
前記レンズ保持具の間にスペーサを備えることを特徴とする請求項１０に記載のレンズ保持構造体。
【請求項１２】
前記突起部の位置を前記レンズ保持具それぞれで異ならせたことを特徴とする請求項１０または請求項１１に記載のレンズ保持構造体。
【請求項１３】
前記レンズの光軸の傾きを調整するチルト調整部を備えることを特徴とする請求項１ないし請求項１２に記載のレンズ保持構造体。
【請求項１４】
レンズと、該レンズを固定して保持するレンズ保持具と、該レンズ保持具を係合する保持枠とを備えるレンズ保持構造体でのレンズ位置調整方法であって、弾性部材で形成された前記レンズ保持具に前記レンズを取り付けし、前記レンズ保持具の突起部を該突起部に対応して前記保持枠に形成された溝部に係合した後、該溝部に係合された前記突起部の先端を前記保持枠の側面方向から位置調整治具により押圧することを特徴とするレンズ位置調整方法。
【請求項１５】
レンズ保持構造体を有する光学系と、該光学系を介して入射する入射光を光電変換する固体撮像素子とを備えるカメラモジュールにおいて、
前記レンズ保持構造体は、請求項１ないし請求項１３のいずれか一つに記載のレンズ保持構造体であることを特徴とするカメラモジュール。
【発明の詳細な説明】
【技術分野】
【０００１】
本発明は、カメラなどの光学機器に用いられるレンズを保持、係合するレンズ保持構造体、レンズ位置調整方法およびこのようなレンズ保持構造体を備えるカメラモジュールに関する。
【背景技術】
【０００２】
近年、デジタルスチルカメラや携帯電話などのモバイル機器に搭載されたカメラモジュールは、複数枚のレンズを単一の鏡筒に固定した従来の光学系ではなく、光学系は勿論のこと高機能化や小型化に伴って機構系などもより精密化している。
【０００３】
例えば、コンパクトカメラやデジタルカメラなどに搭載されるカメラモジュールは、数百万画素といった多い画素数に対応するだけでなく、例えば、ステッピングモータといった駆動機構を設けて、この駆動機構によって複数枚のレンズを有する複数のレンズ群を光軸方向で移動させる変倍機構とすることにより、望遠と広角の撮影が可能な光学的ズーム機能を持たせて高機能化したカメラモジュールとすることも多い。
【０００４】
一般に、カメラモジュールは、複数のレンズを有する光学系と、固体撮像素子を搭載した素子搭載基板とを備える。また、さらに高機能化されたカメラモジュールは、複数のレンズを組合せて構成した複数のレンズホルダーの光軸上での位置を変化させることにより広角や望遠での撮影を可能としている。
【０００５】
しかし、このように高機能化されたカメラモジュールでは、レンズを固定するレンズホルダー（保持枠）に対してレンズの高精度な位置調整が必要となり、また、例えば落下によって加えられた外力がカメラモジュールに対して衝撃を与えることからレンズホルダーに固定されたレンズが損傷するといった問題が生じている。
【０００６】
特にレンズは、レンズホルダーに対して数箇所を接着剤などにより固定される構成としてあり、衝撃によってレンズがレンズホルダーから外れるなどの損傷が生じやすい。したがって、光学的な性能の影響が大きいカメラモジュールにおいては、高精度の位置調整をしつつ耐衝撃性を確保することが重要な課題となっている。
【０００７】
また、カメラモジュールの小型化に伴って光学系が小型化された結果、レンズ径が小さくなり、レンズホルダーの構造も同様に小さくなることから従来の位置調整方法では適用が困難となり、より高精度の位置調整方法が必要となってきている。
【０００８】
そこで、レンズホルダーに対してレンズを高精度に位置調整できるレンズ保持構造や、落下などによる外部からの衝撃に対してレンズが損傷しないレンズ保持構造に関して、様々な検討、提案がなされている。
【０００９】
従来例１に係るレンズ保持構造は、レンズホルダーの側面に小さい位置調整ネジを有した構成としてあり、位置調整ネジの締め付けによりレンズの位置を調整することができるレンズ保持構造としている（例えば、特許文献１参照。）。
【００１０】
また、従来例２に係るレンズ保持構造は、レンズ鏡筒と固定部材（保持枠）の間に弾性部材を設けた構成としており、レンズ鏡筒やレンズへの損傷を防止する構成としている（例えば、特許文献２参照。）。
【００１１】
しかしながら、従来例１に係るレンズ保持構造では、位置調整ネジを用いていることから構成が複雑となっており、レンズホルダーの厚みが一定の大きさを有している必要がありレンズ保持構造に大きさでの制約がある。また外部の衝撃によるレンズの損傷は考慮されておらず、レンズホルダーに伝播した衝撃によりレンズが損傷することも考えられる。したがって、レンズの位置を調整する位置調整機構とは別に損傷を防止する機構を設けなければならないという問題があった。
【００１２】
また、従来例２に係るレンズ保持構造では、レンズを有する鏡筒について外部からの衝撃に対して損傷しないように弾性部材を設けているが、カメラモジュールの高機能化や小型化に伴い、鏡筒の構造が小さくなり適用が困難となっていることや、レンズと鏡筒での損傷を考慮していないという問題があった。
【００１３】
また、従来例１および従来例２に係るレンズ保持構造においては、レンズの位置調整または衝撃に対する損傷の防止のいずれか一方のみに対応した構造であって、カメラモジュールの高機能化に伴って必要となってきたレンズの位置調整とレンズの損傷防止という２つの課題を併せて解決するレンズ保持構造については考慮されていないという問題があった。
【特許文献１】特開２０００−１９３８６２号公報（図１）
【特許文献２】特開２０００−２６６９７８号公報（図１）
【発明の開示】
【発明が解決しようとする課題】
【００１４】
本発明はこのような状況に鑑みてなされたものであり、レンズを直接保持するレンズ保持具を弾性部材で構成することにより、レンズの組立（位置調整）を容易かつ高精度に行うことができ、また落下などによる外部からの衝撃を受けても、レンズに対する損傷を確実に防止できるレンズ保持構造（レンズ保持構造体）を提供することを目的とする。
【００１５】
また、本発明は弾性部材で構成されたレンズ保持具に保持枠と係合する突起部を設けることにより、レンズ保持具と保持枠との位置決めを容易に行うことができるレンズ保持構造体を提供することを他の目的とする。
【００１６】
また、本発明は、レンズ保持具の突起部を保持枠の溝部に係合した後、溝部に係合された突起部の先端を保持枠の側面方向から位置調整治具により押圧することにより、極めて容易かつ高精度に位置決めすることができるレンズ位置調整方法を提供することを他の目的とする。
【００１７】
また、本発明は、本発明に係るレンズ保持構造体を用いたカメラモジュールとすることにより耐衝撃性が大きく、光学系の位置調整を容易かつ高精度に行えるカメラモジュールを提供することを他の目的とする。
【課題を解決するための手段】
【００１８】
本発明に係るレンズ保持構造体は、レンズと、該レンズを固定して保持するレンズ保持具と、該レンズ保持具を係合する保持枠とを備えるレンズ保持構造体であって、前記レンズ保持具は、弾性部材で形成してあることを特徴とする。
【００１９】
この構成により、レンズの位置調整を容易かつ高精度に行うことが可能となり、また、耐衝撃性が向上することから外部からの衝撃を和らげてレンズの損傷および位置ずれを防止することができる。
【００２０】
本発明に係るレンズ保持構造体では、前記保持枠は複数の溝部を有し、前記レンズ保持具は前記溝部に係合する突起部を有することを特徴とする。
【００２１】
この構成により、レンズ保持具と保持枠との位置決めが極めて容易となる。
【００２２】
本発明に係るレンズ保持構造体では、前記突起部は、前記溝部の外部に突出して形成してあることを特徴とする。
【００２３】
この構成により、突起部を外部（保持枠の側面：突出方向）から押圧することにより容易にレンズの位置調整を行うことができるので、レンズの位置決めを極めて容易に行うことができる。
【００２４】
本発明に係るレンズ保持構造体では、前記溝部および前記突起部はそれぞれ３個以上あることを特徴とする。
【００２５】
この構成により、３方向以上で位置決めすることから、２次元平面上での正確な位置決めが可能となる。
【００２６】
本発明に係るレンズ保持構造体では、前記レンズ保持具は前記レンズを複数備えることを特徴とする。
【００２７】
この構成により、レンズ保持構造体の焦点距離の範囲、撮影範囲をさらに調整、拡大することができる。
【００２８】
本発明に係るレンズ保持構造体では、前記複数のレンズそれぞれに対応させて前記突起部を有することを特徴とする。
【００２９】
この構成により、複数のレンズそれぞれを相互に独立して調整することができる。
【００３０】
本発明に係るレンズ保持構造体では、前記突起部の位置を前記レンズそれぞれに対応させて異ならせたことを特徴とする。
【００３１】
この構成により、それぞれの調整位置（平面配置位置）を異ならせることとなることから、位置調整治具相互間の干渉を防止することができるので、調整余裕度の大きいレンズ保持構造体とすることができる。
【００３２】
本発明に係るレンズ保持構造体では、前記レンズの間にスペーサを備えることを特徴とする。
【００３３】
この構成により、複数レンズ間の位置関係を正確に設定することができる。
【００３４】
本発明に係るレンズ保持構造体では、前記レンズの外径を前記レンズ保持具の内径より大きくしてあることを特徴とする。
【００３５】
この構成により、レンズをレンズ保持具に容易に取り付ける（嵌合する）ことができ、レンズをレンズ保持具に極めて容易に固定することができる。
【００３６】
本発明に係るレンズ保持構造体では、前記レンズ保持具を複数備えることを特徴とする。
【００３７】
この構成により、レンズ保持構造体の焦点距離の範囲、撮影範囲をさらに調整、拡大することができる。
【００３８】
本発明に係るレンズ保持構造体では、前記レンズ保持具の間にスペーサを備えることを特徴とする。
【００３９】
この構成により、複数のレンズ保持具相互間の位置関係を正確に設定することができる。
【００４０】
本発明に係るレンズ保持構造体では、前記突起部の位置を前記レンズ保持具それぞれで異ならせたことを特徴とする。
【００４１】
この構成により、レンズ保持具それぞれの調整位置を異ならせることとなることから、位置調整治具相互間の干渉を防止することができるので、調整余裕度の大きいレンズ保持構造体とすることができる。
【００４２】
本発明に係るレンズ保持構造体では、前記レンズの光軸の傾きを調整するチルト調整部を備えることを特徴とする。
【００４３】
この構成により、レンズの光軸の傾き（チルト）調整を容易に行うことができる。
【００４４】
本発明に係るレンズ位置調整方法は、レンズと、該レンズを固定して保持するレンズ保持具と、該レンズ保持具を係合する保持枠とを備えるレンズ保持構造体でのレンズ位置調整方法であって、弾性部材で形成された前記レンズ保持具に前記レンズを取り付けし、前記レンズ保持具の突起部を該突起部に対応して前記保持枠に形成された溝部に係合した後、該溝部に係合された前記突起部の先端を前記保持枠の側面方向から位置調整治具により押圧することを特徴とする。
【００４５】
この構成により、レンズ位置を極めて容易かつ高精度で行うことが可能となる。
【００４６】
本発明に係るカメラモジュールは、レンズ保持構造体を有する光学系と、該光学系を介して入射する入射光を光電変換する固体撮像素子とを備えるカメラモジュールにおいて、前記レンズ保持構造体は、本発明に係るレンズ保持構造体であることを特徴とする。
【００４７】
この構成により、レンズの位置合わせ、光学系の調整を容易かつ高精度に行うことができ、また、外部からの衝撃に強いカメラモジュールとすることができる。
【発明の効果】
【００４８】
本発明に係るレンズ保持構造体およびレンズ位置調整方法によれば、レンズを弾性部材で構成したレンズ保持具に取り付け、かつレンズ保持具を保持枠と係合させる構成としてあることから、レンズの位置決めを容易かつ高精度に行え、また、耐衝撃性を向上することができるのでレンズの損傷を防止することができ信頼性を向上することができるという効果を奏する。
【００４９】
また、本発明に係るレンズ保持構造体およびレンズ位置調整方法によれば、保持枠の溝部にレンズ保持具の突起部を係合させる構成としてあることから、レンズの位置決めを容易に行うことができるという効果を奏する。
【００５０】
また、本発明に係るレンズ保持構造体およびレンズ位置調整方法によれば、突起部をレンズ保持具の側面から突出させてあることから、外部から突起部を押圧することによりレンズの位置調整を容易に行うことができるという効果を奏する。
【００５１】
本発明に係るカメラモジュールによれば、本発明に係るレンズ保持構造体を用いたカメラモジュールとすることから、レンズの位置決めを容易かつ高精度に行え、また、耐衝撃性を向上することができるのでレンズの損傷を防止することができ信頼性を向上することができるという効果を奏する。
【発明を実施するための最良の形態】
【００５２】
以下、本発明の実施の形態を図面に基づいて説明する。
【００５３】
＜実施の形態１＞
図１は、本発明の実施の形態１に係るレンズ保持構造体を説明する説明図であり、（Ａ）は平面図、（Ｂ）は側面図である。
【００５４】
本実施の形態に係るレンズ保持構造体１０は、レンズ１と、レンズ１を固定して保持するレンズ保持具２と、レンズ保持具２を係合する枠状の保持枠３とを備えている。カメラモジュール（不図示）は、一般的に保持枠３を複数個（不図示）有しており、デジタルカメラや携帯電話機に内蔵され、レンズ１の位置によって広角及び望遠による風景などの撮影をすることができる。
【００５５】
レンズ１は、ガラスやプラスチックなどの光学素材で構成され、削り出しや金型を用いたモールドによってレンズ１に加工してある。また、レンズ１の形状は複数のレンズ１を光軸上で組み合わせた光学系の光学設計によって最適化され、球面レンズや非球面レンズとして形成され、必要に応じて適宜のコバ（外周面）が形成される。
【００５６】
レンズ保持具２は、例えばゴムのような弾性部材を型加工することによって形成してある。レンズ保持具２はレンズ１を囲むように例えば輪状に形成してあり、内周はレンズ１を固定して保持する形状とされ、外周は保持枠３に係合される形状としてある。
【００５７】
レンズ１を保持する段階では、レンズ保持具２は精度を要求されない。したがって、レンズ保持具２の形成では、高い加工精度を要求されないという効果がある。
【００５８】
保持枠３は、ＡＢＳ樹脂、ポリカーボネート樹脂または液晶ポリマー樹脂などの合成樹脂を、成型や切削などの加工を施すことによって形成してある。使用する合成樹脂は、落下衝撃に対して形状が変形したり破損したりしないように剛性を有することが望ましい。
【００５９】
次に、レンズ保持構造体１０の組立状態（結合状態）について説明する。
【００６０】
レンズ保持構造体１０は、レンズ１をレンズ保持具２に例えば接着／嵌合することにより取り付けて一体化し、一体化したレンズ１とレンズ保持具２を保持枠３に係合することにより形成してある。レンズ保持具２には複数の突起部２ａが設けてあり、突起部２ａに対応させて保持枠３に形成された複数の溝部３ａに突起部２ａを係合することができる構成としてある。したがって、突起部２ａおよび溝部３ａを有することから、レンズ保持具２および保持枠３の相互間の位置合わせは自己整合的に行われる。
【００６１】
突起部２ａを溝部３ａに係合（載置）した状態で、突起部２ａの一部（先端部）は、保持枠３の側面から外部（溝部３ａの外部）へ突出する構成としてあることが好ましい。つまり、レンズ保持具２の突起部２ａの先端を保持枠３の側面（突出方向）から容易に押圧することが可能となり、保持枠３に対するレンズ１の位置調整（光軸の２次元平面上の位置調整）を容易に行うことができる。突起部２ａを保持枠３（溝部３ａ）から突出させることにより、外部からの調整が極めて容易に実施できることとなる。
【００６２】
従来の技術によれば、保持枠にレンズを取り付ける際には、レンズの位置を調整しながら保持枠に位置合わせし、その後、接着剤などによりレンズを保持枠に固定する。また、保持枠に対するレンズの位置調整は、レンズのコバに位置調整治具の先端を接触させて押圧することが多い。しかし、携帯電話などの小型機器に搭載するカメラモジュールにあっては、光学系の寸法が極めて小さく、レンズの寸法も小さいことから、取り扱い作業が困難であることが多い。
【００６３】
しかし、本実施の形態に係るレンズ保持構造体１０では、弾性部材で構成したレンズ保持具２にレンズ１を取り付けて固定し、レンズ１を固定したレンズ保持具２を保持枠３に係合して、弾性部材である突起部２ａを位置調整治具（不図示）により外部から押圧することにより、保持枠３に対するレンズ１の位置を容易に調整することが可能となる。また、突起部２ａおよび対応する溝部３ａを３箇所以上設けることにより、２次元平面上での位置決めを正確に行うことが可能となる。なお、調整精度を向上するために突起部２ａおよび溝部３ａは均等に配置することが好ましい。
【００６４】
保持枠３に対して位置調整したレンズ１を保持するレンズ保持具２は、接着剤や固定部材などを用いて保持枠３と相互に固定することによって、必要な位置合わせを施したレンズ１を有する保持枠３として、レンズ保持構造体１０を得ることができる。レンズ１を弾性部材で構成したレンズ保持具２に取り付けることにより、小さいレンズ１でも容易に取り扱うことができることから、小型化に対応したレンズ保持構造体１０とすることができる。
【００６５】
保持枠３には、光学系の主軸（不図示）、副軸（不図示）にそれぞれ対応する穴３ｂと溝３ｃが設けてあり、保持枠３をガイド軸（不図示）に取り付けることが可能な構成としてある。なお、適宜のカムを用いても良い。
【００６６】
カメラモジュールに対して外部から衝撃が加わった場合、従来のように保持枠に対してレンズが接着剤などで固定されている場合は、固定部分に応力が加わり、その結果、その部分が外れてしまうという問題が生じる。
【００６７】
しかし、本実施の形態に係るレンズ保持構造体１０では、レンズ保持具２にレンズ１を取り付けて保持枠３に固定した構成としてあることから、外部から衝撃が加わった場合でも、レンズ１に応力が直接加わることはなく、レンズ保持具２によって応力が吸収されることから、レンズ１が外れるという問題は生じないという効果を奏する。
【００６８】
図２は、本発明の実施の形態１に係るレンズ保持構造体に適用するレンズ保持具の詳細を説明する説明図であり、（Ａ）は平面図、（Ｂ）は（Ａ）の矢符Ｂ−Ｂ方向での断面図である。
【００６９】
レンズ保持具２は、３方向に突起部２ａを有しており、それぞれの突起部２ａは、保持枠３（図１参照）に設けた溝部３ａ（切り欠き）から僅かに先端部が突出する構成としてある。したがって、レンズ１の中心に向かって突起部２ａの先端を位置調整治具（不図示）で押すことにより、保持枠３（不図示）とレンズ１の位置関係を最適化することができる。
【００７０】
レンズ１はレンズ保持具２に対して固定されているが、例えば、レンズ保持具２の内径をレンズ１の外径より僅かに小さくしておく（レンズ１の外径をレンズ保持具２の内径より大きくしておく）ことにより、レンズ保持具２の弾性収縮によってレンズ１を確実に嵌合して保持することができる。また、レンズ１のコバを載置できる段差部がレンズ保持具２の内部（内周部）に設けてあっても良い。また、レンズ保持具２の厚み方向で、内周部の中央部分をレンズ１に対して少し大きめに形成しておくことにより、レンズ１がレンズ保持具２に嵌合する構成としても良い。なお、レンズの径については、他の実施の形態でも同様に適用できる。
【００７１】
＜実施の形態２＞
カメラモジュールの高機能化に伴って、これまでの複数枚のレンズを鏡筒に固定した光学系ではなく、例えば、ステッピングモータといった駆動機構を設けて、この駆動機構によって複数のレンズを有する複数のレンズ群を光軸方向に動かすことにより、望遠と広角の光学的なズーム機能を持たせる構成をとったカメラモジュールとすることがある。つまり、保持枠３は、複数のレンズ１を有する構成とすることにより、レンズ保持構造体の焦点距離の範囲、撮影範囲をさらに調整、拡大することができる。本実施の形態では、図３ないし図５で示すように、複数のレンズを単一のレンズ保持具で保持するレンズ保持構造体としてある。なお、説明の簡明さを考慮して、レンズ保持具の状態を図示し、保持枠は図２の場合と同様に図示しない。また、レンズが２つの場合を例示するが、レンズが３以上の場合であっても同様に本実施の形態を適用することができる。
【００７２】
図３は、本発明の実施の形態２に係るレンズ保持構造体に適用するレンズ保持具（実施例１）の詳細を説明する説明図であり、（Ａ）は平面図、（Ｂ）は（Ａ）の矢符Ｂ−Ｂ方向での断面図である。
【００７３】
本実施の形態に係るレンズ保持具２（実施例１）は、単一のレンズ保持具２に２つのレンズ１（図上、上側のレンズ１ｕ、下側のレンズ１ｄ）を保持してあり、レンズ１ｕとレンズ１ｄとの間隔（位置関係）を調整するためにレンズ１ｕとレンズ１ｄの間にスペーサ４を設けた構成としてある。スペーサ４の大きさは、レンズ１の大きさ（径）に対応させて適宜設定することができる。また、レンズ保持具２の内径についてもレンズ１の大きさに対応させて適宜設定することができる。
【００７４】
また、レンズ保持具２の突起部２ａはレンズ１の重畳方向で、レンズ保持具２の厚さを維持する構成としてある。本実施例の場合には、突起部２ａの形状に対応させて、保持枠３の溝部３ａの形状を適宜変更することとなる（不図示）。
【００７５】
図４は、本発明の実施の形態２に係るレンズ保持構造体に適用するレンズ保持具（実施例２）の詳細を説明する説明図であり、（Ａ）は平面図であり、（Ｂ）は（Ａ）の矢符Ｂ−Ｂ方向での断面図である。
【００７６】
本実施の形態に係るレンズ保持具２（実施例２）は、実施例１と同様に単一のレンズ保持具２に２つのレンズ１（図上、上側のレンズ１ｕ、下側のレンズ１ｄ）を保持してあり、レンズ１ｕとレンズ１ｄとの間隔（位置関係）を調整するためにレンズ１ｕとレンズ１ｄの間にスペーサ４を設けた構成としてある。
【００７７】
本実施例では、レンズ１ｕに対応させて突起部２ａｕを、レンズ１ｄに対応させて突起部２ａｄをそれぞれ形成して突起部２ａを構成してある。突起部２ａを突起部２ａｕと突起部２ａｄに分離して構成してあることから、それぞれに対応する複数のレンズ１ｕ、１ｄをそれぞれ個別に独立して調整することが可能となり、より高精度のレンズ位置調整が可能となる。
【００７８】
なお、本実施例の場合には、突起部２ａ（２ａｕ、２ａｄ）の形状に対応させて、保持枠３の溝部３ａの形状を適宜変更することとなる（不図示）。
【００７９】
図５は、本発明の実施の形態２に係るレンズ保持構造体に適用するレンズ保持具（実施例３）の詳細を説明する説明図であり、（Ａ）は平面図であり、（Ｂ）は（Ａ）の矢符Ｂ−Ｂ方向での断面図である。
【００８０】
本実施の形態に係るレンズ保持具２（実施例３）は、実施例１、実施例２と同様に単一のレンズ保持具２に２つのレンズ１（図上、上側のレンズ１ｕ、下側のレンズ１ｄ）を保持してあり、レンズ１ｕとレンズ１ｄとの間隔（位置関係）を調整するためにレンズ１ｕとレンズ１ｄの間にスペーサ４を設けた構成としてある。
【００８１】
本実施例では、レンズ１ｕに対応させて突起部２ａｕを、レンズ１ｄに対応させて突起部２ａｄをそれぞれ形成して突起部２ａを構成してある。なお、同図（Ｂ）では、突起部２ａｄを側面視状態で側面図として図示してある。突起部２ａを突起部２ａｕと突起部２ａｄに分離して構成してあることから、それぞれに対応する複数のレンズ１ｕ、１ｄをそれぞれ個別に独立して調整することが可能となり、より高精度のレンズ位置調整が可能となる。
【００８２】
本実施例では、さらに、突起部２ａｕの位置と突起部２ａｄの位置（平面配置位置）を相互に異ならせて配置してある。したがって、レンズ保持具２の突起部２ａｕを押圧する位置調整治具（不図示）と、突起部２ａｄを押圧する位置調整治具（不図示）との位置を相互に異ならせることが可能となり、位置調整治具同士の干渉を避けることができる。つまり、位置調整に余裕度のあるレンズ保持構造体１０とすることができる。
【００８３】
なお、本実施例の場合には、突起部２ａ（２ａｕ、２ａｄ）の形状に対応させて、保持枠３の溝部３ａの形状を適宜変更することとなる（不図示）。
【００８４】
＜実施の形態３＞
本実施の形態では、図６、図７で示すように、レンズ保持具を複数備えるレンズ保持構造体としてある。なお、説明の簡明さを考慮して、レンズ保持具の状態を図示し、保持枠は図２の場合と同様に図示しない。また、レンズ保持具が２つの場合を例示するが、レンズ保持具が３以上の場合であっても同様に本実施の形態を適用することができる。また、保持枠を２つ以上としてレンズ保持構造体を構成することも可能である。
【００８５】
図６は、本発明の実施の形態３に係るレンズ保持構造体に適用するレンズ保持具（実施例４）の詳細を説明する説明図であり、（Ａ）は平面図、（Ｂ）は（Ａ）の矢符Ｂ−Ｂ方向での断面図である。
【００８６】
本実施の形態に係るレンズ保持具２（実施例４）は、２つのレンズ保持具２（図上、上側のレンズ保持具２ｕ、下側のレンズ保持具２ｄ）を重畳させる形態としてあり、レンズ保持具２ｕとレンズ保持具２ｄとの間隔（位置関係）を正確に設定するためにレンズ保持具２ｕとレンズ保持具２ｄの間にスペーサ４を設けた構成としてある。また、レンズ１ｕをレンズ保持具２ｕに固定し、レンズ１ｄをレンズ保持具２ｄに固定してある。
【００８７】
本実施例では、レンズ保持具２ｕには突起部２ｕａを、レンズ保持具２ｄには突起部２ｄａをそれぞれ形成して突起部２ａを構成してある。なお、本実施例では、突起部２ｕａと突起部２ｄａは方向を一致させて形成してある。
【００８８】
突起部２ａを突起部２ｕａと突起部２ｄａに分離して構成してあることから、実施例３の場合と同様、それぞれに対応する複数のレンズ１ｕ、１ｄをそれぞれ個別に独立して調整することが可能となり、より高精度のレンズ位置調整が可能となる。したがって、レンズ保持構造体の焦点距離の範囲、撮影範囲をさらに調整、拡大することができる。
【００８９】
なお、レンズ保持具２ｕ、２ｄにはそれぞれ単一のレンズ１を固定してあるが、実施の形態２の場合と同様にレンズ保持具２ｕ、２ｄそれぞれに複数のレンズ１を固定する構成とすることも可能である。
【００９０】
本実施例の場合には、突起部２ａ（２ｕａ、２ｄａ）の形状に対応させて、保持枠３の溝部３ａの形状を適宜変更することとなる（不図示）。
【００９１】
図７は、本発明の実施の形態３に係るレンズ保持構造体に適用するレンズ保持具（実施例５）の詳細を説明する説明図であり、（Ａ）は平面図、（Ｂ）は（Ａ）の矢符Ｂ−Ｂ方向での断面図である。
【００９２】
本実施の形態に係るレンズ保持具２（実施例５）は、基本的な構成、作用では実施例４の場合と同様であるが、突起部２ｕａの位置と突起部２ｄａの位置を相互に異ならせて配置してある点で異なる。なお、同図（Ｂ）では、突起部２ｄａを側面視状態で側面図として図示してある。
【００９３】
本実施例では、レンズ保持具２ｕの突起部２ｕａを押圧する位置調整治具（不図示）と、レンズ保持具２ｄの突起部２ｄａを押圧する位置調整治具（不図示）との位置を相互に異ならせることが可能となり、位置調整治具同士の干渉を避けることができる。つまり、位置調整に余裕度のあるレンズ保持構造体１０とすることができる。
【００９４】
本実施例の場合には、突起部２ａ（２ｕａ、２ｄａ）の形状に対応させて、保持枠３の溝部３ａの形状を適宜変更することとなる（不図示）。
【００９５】
＜実施の形態４＞
実施の形態２、実施の形態３では、保持枠を省略してレンズ保持具（レンズ保持構造体）を説明したが、本実施の形態では、保持枠と実施の形態２、実施の形態３で記載したレンズ保持具とを係合させたレンズ保持構造体としてある。なお、本実施の形態では、保持枠は１つの場合を示すが、保持枠を複数備える構成とすることも可能である。
【００９６】
図８は、本発明の実施の形態４に係るレンズ保持構造体を説明する説明図であり、（Ａ）は平面図、（Ｂ）は側面図である。
【００９７】
本実施の形態に係るレンズ保持構造体１０は、実施の形態１で示した保持枠３と実施の形態２の実施例２（図４）に示したレンズ保持具２とを係合して構成したものである。
【００９８】
保持枠３の溝部３ａに、レンズ保持具２の突起部２ａｄ（図上、下側の突起部）を係合させてあり、突起部２ａｕ（図上、上側の突起部）はレンズ保持具２から突出した形態としてある。なお、保持枠３の厚さをさらに大きくして溝部３ａの深さを深くすることにより、突起部２ａｕも溝部３ａに契合する形態とすることも可能である。つまり、保持枠３、溝部３ａの形状は、レンズ保持具２の突起部２ａの形状に応じて適宜設定することが可能である。
【００９９】
上述したとおり、複数のレンズ１を係合する保持枠３についてもレンズ１をレンズ保持具２に取り付け、レンズ保持具２を保持枠３に係合した後、突起部２ａ（２ａｄ、２ａｕ）を位置調整治具（不図示）により外部から押圧することにより、保持枠３に対するレンズ１の位置を容易に調整することが可能となる。また、位置調整した後、レンズ保持具２を保持枠３に対して固定することによってレンズ保持構造体１０を得ることができる。
【０１００】
なお、レンズ保持具２を保持枠３に固定する方法としては、接着剤などによる固定は勿論のこと、金属により形成したバネによる圧着などが可能である。どのような固定方法であっても、外部からの衝撃が保持枠３に加わった場合には、レンズ保持具２が緩衝材として作用することとなることから、レンズ１には外力（外部からの衝撃）が及ぶことのないレンズ保持構造体１０を得ることができる。
【０１０１】
＜実施の形態５＞
本実施の形態では、レンズの光軸の傾きを調整するチルト調整部を備えるレンズ保持構造体としてある。
【０１０２】
図９は、本発明の実施の形態５に係るレンズ保持構造体を説明する説明図であり、（Ａ）はチルト調整部の平面図、（Ｂ）はチルト調整部を備えるレンズ保持構造体の平面図、（Ｃ）は（Ｂ）の側面図である。
【０１０３】
本実施の形態に係るチルト調整部５は、保持枠３に略対応する平面輪郭を有するチルト調整板６、レンズ保持具２に対応させてチルト調整板６に設けられたチルト調整ネジ７を有する（同図（Ａ））。チルト調整ネジ７は、突起部２ａの位置に対応させて配置することが好ましい。
【０１０４】
チルト調整板６を保持枠３に接着などにより固定して取り付けた後、チルト調整ネジ７によってレンズ１のチルトを調整して光軸Ｌａｘの傾きを抑制する（同図（Ｂ）（Ｃ））。レンズ保持具２の突起部２ａに対する押圧によるレンズ１の偏心の位置調整（実施の形態１ないし実施の形態４）に加えて、レンズ１の周辺に設けたレンズ保持具２の一部（突起部２ａの上端）をチルト調整ネジ７により押圧することにより、レンズ１のチルト（光軸Ｌａｘの傾き）の位置調整を容易に行うことができる。
【０１０５】
＜実施の形態６＞
本実施の形態は、本発明に係るレンズ保持構造体でのレンズ位置調整方法に関する。
【０１０６】
実施の形態１ないし実施の形態５に示したレンズ保持構造体１０でのレンズ位置調整方法は、上述したとおり各構成に対して次の処理を施すことにより行うことができる。
【０１０７】
つまり、本実施の形態に係るレンズ位置調整方法（不図示。図１ないし図９参照）は、レンズ１と、レンズ１を固定して保持するレンズ保持具２と、レンズ保持具２を係合する保持枠３とを備えるレンズ保持構造体１０でのレンズ位置調整方法であり、弾性部材で形成されたレンズ保持具２にレンズ１を取り付けし、レンズ保持具２の突起部２ａを突起部２ａに対応して保持枠３に形成された溝部３ａに係合した後、溝部３ａに係合された（好ましくは、保持枠３の側面から突出した）突起部２ａの先端を保持枠３の側面方向（突出方向）から保持具２の中心方向へ位置調整治具により押圧することを特徴とする。
【０１０８】
この構成とすることにより、保持枠３に対するレンズ１の中心位置を２次元平面上で極めて容易かつ高精度で位置決め（位置調整）することが可能となる。
【０１０９】
＜実施の形態７＞
本実施の形態は、本発明に係るレンズ保持構造体を用いたカメラモジュールに関する。
【０１１０】
本実施の形態に係るカメラモジュール（不図示）は、レンズおよびレンズ保持構造体を有する光学系と、この光学系を介して入射される入射光を光電変換する固体撮像素子を搭載した素子搭載基板とを備える。
【０１１１】
本実施の形態に係るカメラモジュールの光学系は、本発明に係るレンズ保持構造体を備えることから、外部からの衝撃に強く、また、光学系のレンズ位置調整が極めて容易かつ高精度に行うことができるカメラモジュールとすることが可能となる。
【０１１２】
カメラモジュールに関する詳細な機構部については説明を省略するが、実施の形態１ないし実施の形態５で示したレンズ保持構造体１０を備えることにより、容易に構成することが可能となる。レンズ保持構造体１０の穴３ｂ、溝３ｃがカメラモジュールの光学系に設けてある駆動機構のガイド（不図示）に連結されることとなり、ガイドに沿って適宜の移動を行うことが可能となる。
【図面の簡単な説明】
【０１１３】
【図１】本発明の実施の形態１に係るレンズ保持構造体を説明する説明図であり、（Ａ）は平面図、（Ｂ）は側面図である。
【図２】本発明の実施の形態１に係るレンズ保持構造体に適用するレンズ保持具の詳細を説明する説明図であり、（Ａ）は平面図、（Ｂ）は（Ａ）の矢符Ｂ−Ｂ方向での断面図である。
【図３】本発明の実施の形態２に係るレンズ保持構造体に適用するレンズ保持具（実施例１）の詳細を説明する説明図であり、（Ａ）は平面図、（Ｂ）は（Ａ）の矢符Ｂ−Ｂ方向での断面図である。
【図４】本発明の実施の形態２に係るレンズ保持構造体に適用するレンズ保持具（実施例２）の詳細を説明する説明図であり、（Ａ）は平面図であり、（Ｂ）は（Ａ）の矢符Ｂ−Ｂ方向での断面図である。
【図５】本発明の実施の形態２に係るレンズ保持構造体に適用するレンズ保持具（実施例３）の詳細を説明する説明図であり、（Ａ）は平面図であり、（Ｂ）は（Ａ）の矢符Ｂ−Ｂ方向での断面図である。
【図６】本発明の実施の形態３に係るレンズ保持構造体に適用するレンズ保持具（実施例４）の詳細を説明する説明図であり、（Ａ）は平面図、（Ｂ）は（Ａ）の矢符Ｂ−Ｂ方向での断面図である。
【図７】本発明の実施の形態３に係るレンズ保持構造体に適用するレンズ保持具（実施例５）の詳細を説明する説明図であり、（Ａ）は平面図、（Ｂ）は（Ａ）の矢符Ｂ−Ｂ方向での断面図である。
【図８】本発明の実施の形態４に係るレンズ保持構造体を説明する説明図であり、（Ａ）は平面図、（Ｂ）は側面図である。
【図９】本発明の実施の形態５に係るレンズ保持構造体を説明する説明図であり、（Ａ）はチルト調整部の平面図、（Ｂ）はチルト調整部を備えるレンズ保持構造体の平面図、（Ｃ）は（Ｂ）の側面図である。
【符号の説明】
【０１１４】
１  レンズ
２、２ｕ、２ｄ  レンズ保持具
２ａ、２ａｕ、２ａｄ、２ｕａ、２ｄａ  突起部
３  保持枠
３ａ  溝部
３ｂ  穴
３ｃ  溝
４  スペーサ
５  チルト調整部
６  チルト調整板
７  チルト調整ネジ
１０  レンズ保持構造体
Ｌａｘ  光軸
【図１】
2007041141.tif 000003
【図２】
2007041141.tif 000004
【図３】
2007041141.tif 000005
【図４】
2007041141.tif 000006
【図５】
2007041141.tif 000007
【図６】
2007041141.tif 000008
【図７】
2007041141.tif 000009
【図８】
2007041141.tif 000010
【図９】
2007041141.tif 000011